(57)【要約】【課題】二酸化炭素の発生を抑えて暖房・加湿することができる加湿方法及びこれに用いる加湿装置を提供する。【解決手段】植物性アルコール燃料又はＬＮＧからなる燃料が充填された燃料タンク２と、水分が充填された水タンク３と、燃料を燃焼させる燃焼器具４と、水分が水タンク３から供給され、燃料の燃焼により加熱される容器５と、燃焼器具４及び容器５を収容して略密閉された暖気室９と、送風機７と、暖気室９と送風機７を連通する連通路８を備えた。これにより、燃料として植物性アルコール燃料又はＬＮＧを利用するため、燃焼の際の二酸化炭素の発生量が通常の電気ヒータよりも抑制される。このような燃料を利用して、水分を蒸発させ、この蒸気とともに燃焼ガスを暖気として送風するので、燃焼によるエネルギーを有効に活用することができる。蒸気も同時に送風することから、加湿の効果も得ることができる。【選択図】図１
2010169349.tif 000002
【特許請求の範囲】
【請求項１】
植物性アルコール燃料又はＬＮＧからなる燃料を燃焼させて容器中の水分を蒸発させ、
前記水分の蒸気とともに前記燃料の燃焼ガスを暖気として送風することを特徴とする加湿方法。
【請求項２】
請求項１に記載の加湿方法に用いる加湿装置であって、
前記燃料が充填された燃料タンクと、
前記水分が充填された水タンクと、
前記燃料を燃焼させる燃焼器具と、
前記水分が前記水タンクから供給され、前記燃料の燃焼により加熱される容器と、
前記燃焼器具及び前記容器を収容して略密閉された暖気室と、
送風機と、
前記暖気室と前記送風機を連通する連通路を備えたことを特徴とする加湿装置。
【請求項３】
前記送風機は空調機であり、前記連通路は前記空調機のダクトに形成された小孔であり、前記暖気室は前記ダクトの前記小孔が形成された部分を覆っていることを特徴とする請求項２に記載の加湿装置。
【発明の詳細な説明】
【技術分野】
【０００１】
本発明は、二酸化炭素の発生を低減させ、環境を考慮した加湿方法及びこれに用いる加湿装置に関するものである。
【背景技術】
【０００２】
石油燃焼暖房器具が特許文献１に記載されている。この石油燃焼暖房器具は、水を石油燃焼により加熱し、発生する水蒸気を送風して暖房の際の乾燥を防止するものである。すなわち加湿を行うものである。
しかしながら、この暖房器具は石油燃料を使用しているため、燃焼の際に排出される二酸化炭素の量が多い。
【先行技術文献】
【特許文献】
【０００３】
【特許文献１】実開平６−６９６３０号公報
【発明の概要】
【発明が解決しようとする課題】
【０００４】
本発明は、上記従来技術を考慮したものであって、二酸化炭素の発生を抑えて暖房・加湿することができる加湿方法及びこれに用いる加湿装置を提供することを目的とする。
【課題を解決するための手段】
【０００５】
前記目的を達成するため、請求項１の発明では、植物性アルコール燃料又はＬＮＧからなる燃料を燃焼させて容器中の水分を蒸発させ、前記水分の蒸気とともに前記燃料の燃焼ガスを暖気として送風することを特徴とする加湿方法を提供する。
また、請求項２の発明では、請求項１に記載の加湿方法に用いる加湿装置であって、前記燃料が充填された燃料タンクと、前記水分が充填された水タンクと、前記燃料を燃焼させる燃焼器具と、前記水分が前記水タンクから供給され、前記燃料の燃焼により加熱される容器と、前記燃焼器具及び前記容器を収容して略密閉された暖気室と、送風機と、前記暖気室と前記送風機を連通する連通路を備えたことを特徴とする加湿装置を提供する。
【０００６】
請求項３の発明では、請求項２の発明において、前記送風機は空調機であり、前記連通路は前記空調機のダクトに形成された小孔であり、前記暖気室は前記ダクトの前記小孔が形成された部分を覆っていることを特徴としている。
【発明の効果】
【０００７】
請求項１の発明によれば、燃料として植物性アルコール燃料又はＬＮＧからなる燃料を利用するため、燃焼の際の二酸化炭素の発生量が通常の電気ヒータよりも抑制される。このような燃料を利用して、水分を蒸発させ、この蒸気とともに燃焼ガスを暖気として送風するので、燃焼によるエネルギーを有効に活用することができる。蒸気も同時に送風することから、加湿の効果も得ることができる。
【０００８】
請求項２の発明によれば、燃料タンクに充填する燃料として植物性アルコール燃料又はＬＮＧを用いるため、燃焼器具により燃料が燃焼したときに発生する二酸化炭素の発生量が通常の電気ヒータを燃焼させたときに発生する二酸化炭素の発生量よりも減少する。すなわち、二酸化炭素の発生量を抑制することができる。さらに、水タンクに充填された水分を容器に移し、これを燃料の燃焼を用いて加熱して蒸気化させる。燃料を燃焼させる燃焼器具と、蒸発される水分が溜められた容器が略密閉された暖気室に収容されるので、燃焼ガスと蒸気の両方が暖気室に充満される。暖気室と送風機は連通路により連通されているので、燃焼ガスと蒸気の両方が暖気として送風機により部屋に送られる。したがって、燃焼によるエネルギーを有効に活用することができ、効率のよい暖房及び加湿を行うことができる。
【０００９】
請求項３の発明によれば、送風機として空調機（空気調和機）を用いるため、例えば部屋に空調機が備え付けられていた場合、このような既存の設備を有効に利用して二酸化炭素の発生を抑制した加湿（暖房）運転を行うことができる。また、送風空気がダクトを通って空調機により供給される場合において、送風空気の流れに誘引されて小孔から燃焼ガス及び蒸気がダクトに進入し、空調機により供給される。したがって、空調機の動力エネルギーのみで暖気を部屋に送ることができ、省エネルギーに寄与できる。
【図面の簡単な説明】
【００１０】
【図１】本発明に係る加湿装置の概略図である。
【図２】本発明に係る加湿装置の適用例を示す概略図である。
【発明を実施するための形態】
【００１１】
図１は本発明に係る加湿装置の概略図である。なお、以下では燃料として植物性アルコール燃料を例にして説明するが、ＬＮＧにも適用できる。
図示したように、本発明に係る加湿装置１は、燃料タンク２と、水タンク３と、燃焼器具４と、容器５と、装置本体６と、送風機７と、連通路８で構成される。燃料タンク２には、植物性アルコール燃料が充填されている。
【００１２】
燃焼器具４は容器５を加熱するための装置であり、ガスコンロ等、植物性アルコール燃料を燃焼させるための燃焼器具であればどのようなものを用いてもよい。燃焼の際は、燃料タンク２から適宜植物性アルコール燃料が燃焼器具４に供給される。その供給量は、バルブ１１で調整される。容器５は耐熱性の材料で形成され、燃焼器具４の上側に載置台１０を介して配設される。容器５内には水タンク３に充填された水が供給される。その供給量は、バルブ１２で調整される。燃焼器具装置本体６は略密閉され、内部に暖気室９を形成する。この暖気室９内に、燃焼器具４と容器５が収容されている。装置本体６と送風機７は連通路８を介して接続されている。したがって、暖気室９内の空気は、送風機７の運転による誘引により、全て連通路８を通って送風機７により送風される。
【００１３】
このように、燃料タンク２に充填する燃料として植物性アルコール燃料を用いるため、燃焼器具４により植物性アルコール燃料が燃焼したときに発生する二酸化炭素の発生量が通常の電気ヒータ又は化石燃料を燃焼させたときに発生する二酸化炭素の発生量よりも減少する。すなわち、二酸化炭素の発生量を抑制することができる。さらに、水タンク３に充填された水分を容器５に移し、これを植物性アルコール燃料の燃焼を用いて加熱して蒸気化させる。植物性アルコール燃料を燃焼させる燃焼器具４と、蒸発される水分が溜められた容器５が略密閉された暖気室９に収容されるので、燃焼ガスと蒸気の両方が暖気室９に充満される。暖気室９と送風機７は連通路８により連通されているので、燃焼ガスと蒸気の両方が暖気として送風機７により部屋に送られる。したがって、燃焼によるエネルギーを有効に活用することができ、効率のよい暖房及び加湿を行うことができる。
【００１４】
特に、アルコール燃料は燃焼により水を発生するため、その燃焼ガスには加湿のための水分が含まれることになり、加湿効率を向上させることができる。具体的には、アルコール燃料１ｋｇ消費により、５３０ｇの水が発生する。これに容器５からの蒸気量を加えると、約７００ｇの蒸気での加湿を実現することができる。なお、蒸気発生手段として、超音波振動子を用いてもよい。この場合、燃焼ガスの燃焼部と蒸気発生部を離して設置することが可能である。これにより、不完全燃焼を完全に防止することができる。
【００１５】
また、送風機７としては、部屋に備え付けの空調機（空気調和機）や、パッケージ型空調機等、種々の空調機を用いることができる。このとき、空調機の誘引部分に装置本体６を設置してもよいし、空調機の上流に孔を設け、連通路を設けて装置本体６と連結してもよい。装置本体６に、水タンク３、燃料タンク２も一体化して、送風機７と装置本体６を独立したシステムとして運用すれば、それぞれのモニターもしやすくなり、現在のパッケージ製品（空調機）に容易に取り付け可能となる。これについては、図２で説明する。
【００１６】
本発明に係る加湿方法を行う場合について、上記加湿装置１を例にして説明する。
燃料タンク２に植物性アルコール燃料を充填する。水タンク３に水を充填する。装置本体６内に収容された燃焼器具４により植物性アルコール燃料を燃焼させる。この燃焼の際の熱で、同じく装置本体６内に収容された容器５内の水分を蒸発させる。したがって、略密閉された装置本体６内の暖気室９には、蒸気と燃焼ガスが充満される。これらの蒸気及び燃焼ガスの両方を空調機７の誘引作用により誘引し、部屋に暖気として供給する。これにより、燃料として植物性アルコール燃料を利用するため、燃焼の際の二酸化炭素の発生量が通常の化石燃料よりも抑制される。このような植物性アルコール燃料を利用して、水分を蒸発させ、この蒸気とともに燃焼ガスを暖気として送風するので、燃焼によるエネルギーを有効に活用することができる。蒸気も同時に送風することから、加湿の効果も得ることができる。
【００１７】
図２は本発明に係る加湿装置の適用例を示す概略図である。
図示したように、送風機７として、部屋１３に備え付けの空調機１４を用いた例を示す。空調機１４には送気のためのダクト１７が連結されている。部屋１３には、排気のための排気口１５が備わり、排気はダクト１６を通って排出される。この送気のためのダクト１７の途中に小孔１８が複数個形成される。この小孔１８を覆って、加湿装置１の暖気室９が形成される。すなわち、暖気室９内に小孔１８の全てが収まっている。これにより、ダクト１７内を通る気流の誘因を活用し、燃焼ガス及び蒸気を小孔１８からダクト１７内に取り入れて、部屋１３に供給することができる。
【符号の説明】
【００１８】
１  加湿装置
２  燃料タンク
３  水タンク
４  燃焼器具
５  容器
６  装置本体
７  送風機
８  連通路
９  暖気室
１０  載置台
１１  バルブ
１２  バルブ
【図１】
2010169349.tif 000003
【図２】
2010169349.tif 000004